(57)【要約】【課題】従来の電気温熱器は主としてサウナ形式の発汗を目的とした全身浴のものが多く、規模が大きく広い場所を必要とし、制作費も嵩むなどの欠点があり、特に頭部の温熱による血圧の急上昇や温度調節の操作ミスによる火傷などの危険性が指摘されている。【解決手段】本考案は、発熱体を保護するために、発熱照射側には硬質合成樹脂２０を、反対面には断熱樹脂マット３０を使用する。又形状を保持するためには発熱体の上下部及び左右の両側には金属丸パイプ４０および４１を、隅部４個所はＬ型針金４２で結合し、発熱体と一緒に強靭な結束糸５０で螺旋状に緊縛することにより堅牢で軽量の構造体が出来上がる。更にこの構造体を保護するために保護布６０で覆う。更に保護布６０の両端にヒダ６１を設け電源コード１１の補強とする。なお、ヒダ６１に紐穴６３を４箇所設け、鳩目６５で補強したのは紐で体に縛るためである。本考案の特徴ある電気温熱器である。【選択図】  図２
0003107329.tif 000002
【実用新案登録請求の範囲】
【請求項１】
ＰＴＣ遠赤外線面状発熱体を内蔵し、腹部に直接当てて使用するに適した曲面形状を有し、発熱構造体を保護するための保護布で覆い、保護布の両端にヒダ部分を設け、電気コードの付け根の補強及び紐を通す紐穴４個所を設けることを特徴とする電気温熱器。
【請求項２】
請求項１に記載の電気温熱器において、発熱体の照射側には熱伝導率の高い硬質合成樹脂を使用し、反対面には断熱樹脂マットを使用して発熱体を挟み、形状を保持するために発熱体の上部及び下部には弓状の金属丸パイプを使用し、左右両側には金属丸パイプの直管を使用し、隅部４個所はＬ型針金を用いて金属丸パイプに挿入し結合させ、それらを発熱体の端部に固定しつつ強靭な結束糸により螺旋状に緊縛した発熱構造体を特徴とする電気温熱器。
【考案の詳細な説明】
【技術分野】
【０００１】  本考案はＰＴＣ遠赤外線面状発熱体の自動温度制御機能の特性を生かし、発熱体の温度設定を皮膚到達適正温度とし、発熱体を人体の腹部に直接当てることが最も効果的であることから腹部に合った曲面形状が望ましく、安全で堅牢且つ軽量な電気温熱器を考案するものである。
【技術背景】
【０００２】  種々の発熱体を使用した電気温熱器は出回ってはいるものの、主に発汗を目的としたサウナ形式のものが多い。特にサウナ形式の温熱器は全身を包んでの温熱であり、血圧の急上昇による心臓発作や吐き気、嘔吐などが起こることがある。又発熱体と皮膚との空間が必要発熱量を大きく左右し、いかなる熱源をもってしても高温を必要ならしめるが故に火傷などの危険性、構造的見地からも費用の多寡と見受けられる。
又皮膚に直接接触させての温熱器は見受けられない。
【考案の開示】
【考案が解決しようとする課題】
【０００３】  上記のような全身を包囲するサウナ形式電気温熱器は規模が大きく、広い場所を必要とする。又移動が困難、制作費が嵩む、電気料が割高、特に頭部の温熱による健康阻害、温度調節器の操作ミスによる火傷など、問題点が山積している。
【課題を解決するための手段】
【０００４】  （１）本考案は、皮膚到達適正温度を設定したＰＴＣ遠赤外線面状発熱体を使用するため温度調節器は不要である。しかるに、温度操作による火傷、血圧の急上昇などもなく安全で不安の少ない電気温熱器である。【０００５】  （２）本考案は人体の腹部に対しての電気温熱器であり、遠赤外線照射を有効に吸収するための形状として、その形状を腹部に見合った曲面形状とした電気温熱器である。【０００６】  （３）本考案による電気温熱器の構造面に関しては、発熱体の両面を樹脂等で覆い、曲面形状を保持するためには金属パイプを発熱体の上下部及び両面に配し、発熱体共々強靭な結束糸で緊縛し一体化した構造体とする。【０００７】  （４）本考案は遠赤外線を直接皮膚に照射することと、曲面形状であることから皮膚到達要求温度も低く安全ではあるが、構造体の保護と低温火傷など、更なる安全面を考慮し保護布で覆った電気温熱器である。
【考案の効果】
【０００８】  （１）本考案は全身浴ではなく、低温設定による腹部のみの温熱器であり、高温による血圧の急上昇や吐き気、嘔吐など、心臓等への負担も少ない安全な電気温熱器である。【０００９】  （２）本考案はＰＴＣ遠赤外線面状発熱体を使用のため温度調節制御機能付であり、温度調節器がなく、電源のＯＮ，ＯＦＦだけの単純操作のみである。よって病人にも老若男女にも安全で安心して使用できる電気温熱器である。【００１０】  （３）本考案は皮膚到達適正温度を設定した発熱体であり、その設定温度は必要最低限の温度でもある。低温なるが故に構造部材の選択肢も広く、つまり薄くて軽く丈夫な資材が容易に入手出来る。よって使い勝手の良い大衆向きで安価な電気温熱器を提供する事が出来る。【００１１】  （４）本考案の電気温熱器は腹部の部分温熱といえども、毛布などで保温することにより遠赤外線の輻射熱効果によって皮脂腺から老廃物が排泄される。【００１２】  （５）本考案の電気温熱器は軽く、如何なる体調の人でも又どのような姿勢でも容易に使用でき、電源さえあれば場所を選ばず使用できる。ちなみに自動車内で使用の場合は自動車のライター差込口に専用のＤＣインバーターを接続するだけで電機温熱器として使用が出来る。【００１３】  （６）本考案は発熱構造体の保護のため強靭な保護布で覆い、長期に亘り使用が出来る。
又ヒダを設けることにより、電源コードの付け根の補強になる。更には、ヒダに４箇所の紐穴を設け鳩目で補強する事により、立ち仕事をしながらも温熱が可能な電気温熱器である。
【考案を実施するための最良の形態】
【００１４】  図１は電気温熱器の完成立面図である。最終的に保護布６０で覆い、構造体が動かない様にヒダ６１との境目をミシン糸６４で縫う。この保護布６０は構造体を保護する目的の他に発熱体と皮膚との間に空気の層を作り低温火傷を防止する大きな役目がある。
ヒダ６１は電気コード１１の付け根の補強の役目があり、紐穴６３の４箇所に鳩目６５で補強したのは、必要に応じて紐を通して体を縛り、皮膚との密着を図るためのものである。【００１５】  図２は電気温熱器の断面図である。ＰＴＣ遠赤外線面状発熱体１０の照射側には熱伝導率の高い硬質合成樹脂２０を、反対面には断熱樹脂マット３０で挟み発熱体を保護する。【００１６】  図３は発熱体の曲面形状を保持するために、発熱体の上部及び下部に金属丸パイプ（弓）４０を、左右両側には金属パイプ（直）４１を、更に隅部の４箇所にはＬ型針金４２を上下部の丸パイプの端部に挿入し結合させる。これらのパイプは発熱体と一体に強靭な結束糸５０で螺旋状に緊縛するのである。しかし弓状なので手順が大事であり、まず上下部の緊縛を終えてからＬ型針金と各パイプとの挿入を図りながら緊縛すると良い。
【実施例】
【００１７】  本考案の電気温熱器は試作品の制作から着手した。ちなみにデーターとしては、皮膚到達適正温度を３８℃に設定。発熱体の保護材として、硬質合成樹脂はエンビ板を、断熱樹脂マットはＡＶＡ樹脂マットを使用。形状を保持するための金属パイプは農家で温床に使う通称トンネルなる放物線形の丸管を加工。更に、保護布の生地はスエードを、結束糸はタコ糸＃８を、更に紐穴の補強には鳩目を使用。こうして本考案による電気温熱器が試作された。サイズは円弧長５００ｍｍ、高さ３００ｍｍ、厚さ１２ｍｍ重さ６６０ｇである。
【産業上の利用可能性】
【００１８】  本考案に関しての製作は至って単純で簡単であり、よって制作費は安価である。
ＰＴＣ遠赤外線面状発熱体の特性を生かすことが安全で安心を提供できる。
残念ながら病人も増加の一途を辿り、誰にでも簡単で不安なく使用ができ、安価な電気温熱器として社会に貢献できると確信している。
【図面の簡単な説明】
【図１】本考案に係る電気温熱器の立面図である。
【図２】同じく断面図である。
【図３】隅部のパイプ接合の拡大図である。
【符号の説明】
１０・・・ＰＴＣ遠赤外線発熱体
１１・・・電気コード
２０・・・硬質合成樹脂
３０・・・断熱樹脂マット
４０・・・金属丸パイプ（弓）
４１・・・金属丸パイプ（直）
４２・・・Ｌ型針金
５０・・・結束糸
６０・・・保護布
６１・・・ヒダ
６３・・・紐穴
６４・・・ミシン糸
６５・・・鳩目
【図１】
0003107329.tif 000003
【図２】
0003107329.tif 000004
【手続補正書】
【提出日】平成16年10月15日(2004.10.15)
【手続補正１】
【補正対象書類名】図面
【補正対象項目名】全図
【補正方法】変更
【補正の内容】
【図１】
0003107329.tif 000005
【図２】
0003107329.tif 000006
【図３】
0003107329.tif 000007